(57)【要約】【解決手段】既存の支払プラットフォーム及び既存の広告／コンテンツネットワークのような既存の電子商取引実体を依然として利用しながら、様々な情報を処理してトランザクションを完了すべく、多数の煩雑なウェブページにリダイレクトされることなく、ユーザがオンライン広告に直接アクセスして安全な購入をオンラインですることを可能にする例示的な方法、装置及びシステムが提示されている。本システムは、商業広告エンジン（CAエンジン）に関連付けられているアプリを介してユーザとインターフェースでつながるCAエンジンと、ユーザの認証のためのトークン化プラットフォームと、オンライン広告で広告される製品に関する関連する売出し及び精算情報を提供するマーチャントとを備えている。本システムは、CAエンジンとインターフェースでつながるオンライン広告に埋め込まれた新たな情報を統合し、通常行われているように多数のウェブサイトにアクセスするか又はリダイレクトされることなく、ユーザが所望の製品を購入しながら、認証を確実にもたらすことを可能にする。
2019520664.tif 000002
【特許請求の範囲】
【請求項１】
マーチャントと顧客との安全なトランザクションを改善するための商業広告エンジンの方法であって、
トークン化プラットフォームから受信して支払精算プラットフォームに関連付けられている断片化認証トークンが、前記支払精算プラットフォームに伝えられると、有効期限前に一度だけ、前記支払精算プラットフォームで精算処理を認証するように、前記断片化認証トークンを前記商業広告エンジンによって記憶し、
前記断片化認証トークンが前記顧客に関連付けられている顧客デバイスに固有に関連付けられるように、前記断片化認証トークンを前記顧客デバイスに前記商業広告エンジンによって送信し、
マーチャントの製品を販売すべく、前記マーチャントの売出しを固有に識別する売出しIDを含んで前記売出しに関連付けられているマーチャント売出しデータを、前記商業広告エンジンによって記憶し、
前記商業広告エンジンによって前記マーチャント売出しデータを広告コンテンツネットワークに送信し、前記マーチャント売出しデータは、前記製品を販売すべく前記マーチャントの売出しに関するデジタル広告に変換され、前記デジタル広告が前記顧客によって選択されると、前記売出しIDを前記顧客デバイスに伝えるように構成されたデジタルリンクを含んでおり、
前記デジタル広告から伝えられた前記売出しIDと、前記顧客デバイスとの認証処理によって認証された断片化認証トークンを有する認証された断片化トークンとを前記顧客デバイスから前記商業広告エンジンによって受信し、
前記マーチャントの売出しに関連付けられている前記マーチャントとの、受信した売出しIDの信頼性のある相関、及び顧客が関連付けられている前記顧客デバイスとの、受信して認証されたトークンの信頼性のある相関に基づき、前記顧客が前記マーチャントの売出しの受け入れを開始したと、前記商業広告エンジンによって判断し、
認証された断片化トークンを使用した前記顧客の検証結果に基づき、前記顧客に関連付けられている顧客支払情報にアクセスし、
受信した前記売出しIDを使用した前記マーチャントの検証結果に基づき、前記マーチャントに関連付けられているマーチャントアカウント情報にアクセスし、
前記マーチャント売出しデータ、前記マーチャントアカウント情報、前記顧客支払情報及び認証された断片化トークンの少なくとも一部を前記支払精算プラットフォームに送信することにより、売り出された製品の購入のために支払精算プラットフォームを用いて前記商業広告エンジンによって安全な精算手続きを開始することを特徴とする方法。
【請求項２】
売り出された製品の前記顧客による購入に関する決済データを、前記支払精算プラットフォームから受信することを特徴とする請求項１に記載の方法。
【請求項３】
売り出された製品の前記顧客による購入のために精算トランザクションを作成すべく、前記決済データを前記マーチャントのデジタル領域に送信することを特徴とする請求項２に記載の方法。
【請求項４】
前記デジタル広告から伝えられた前記売出しIDを前記顧客デバイスから前記商業広告エンジンによって受信する際に、前記顧客デバイスに記憶されたデジタルウォレットアプリケーションから前記売出しIDを受信することを特徴とする請求項１に記載の方法。
【請求項５】
認証された前記断片化トークンを、前記顧客のバイオメトリック読み取りを使用して認証することを特徴とする請求項１に記載の方法。
【請求項６】
マーチャントと顧客との安全なトランザクションを改善するための商業広告エンジンの方法であって、
トークン化プラットフォームから受信して支払精算プラットフォームに関連付けられている断片化認証トークンが、前記支払精算プラットフォームに伝えられると、有効期限前に一度だけ、前記支払精算プラットフォームで精算処理を認証するように、前記断片化認証トークンを前記商業広告エンジンによって記憶し、
前記断片化認証トークンが前記顧客に関連付けられている顧客デバイスに固有に関連付けられるように、前記断片化認証トークンを前記顧客デバイスに前記商業広告エンジンによって送信し、
マーチャントの製品を販売すべく、前記マーチャントの売出しを固有に識別する売出しIDを含んで前記売出しに関連付けられているマーチャント売出しデータを、前記商業広告エンジンによって記憶し、
前記商業広告エンジンによって前記マーチャント売出しデータを広告コンテンツネットワークに送信し、前記マーチャント売出しデータは、前記製品を販売すべく前記マーチャントの売出しに関するデジタル広告に変換され、前記デジタル広告が前記顧客によって選択されると、前記売出しIDを前記顧客デバイスに伝えるように構成されたデジタルリンクを含んでおり、
前記デジタル広告に埋め込まれている前記売出しIDと、前記顧客デバイスとの認証処理によって認証された断片化認証トークンを有して前記デジタル広告に埋め込まれている認証された断片化トークンとを前記デジタル広告から前記商業広告エンジンによって受信し、
前記マーチャントの売出しに関連付けられている前記マーチャントとの、受信した売出しIDの信頼性のある相関、及び顧客が関連付けられている前記顧客デバイスとの、受信して認証されたトークンの信頼性のある相関に基づき、前記顧客が前記マーチャントの売出しの受け入れを開始したと、前記商業広告エンジンによって判断し、
認証された断片化トークンを使用した前記顧客の検証結果に基づき、前記顧客に関連付けられている顧客支払情報にアクセスし、
受信した前記売出しIDを使用した前記マーチャントの検証結果に基づき、前記マーチャントに関連付けられているマーチャントアカウント情報にアクセスし、
前記マーチャント売出しデータ、前記マーチャントアカウント情報、前記顧客支払情報及び認証された断片化トークンの少なくとも一部を前記支払精算プラットフォームに送信することにより、売り出された製品の購入のために支払精算プラットフォームを用いて前記商業広告エンジンによって安全な精算手続きを開始することを特徴とする方法。
【請求項７】
売り出された製品の前記顧客による購入に関する決済データを、前記支払精算プラットフォームから受信することを特徴とする請求項6に記載の方法。
【請求項８】
売り出された製品の前記顧客による購入のために精算トランザクションを作成すべく、前記決済データを前記マーチャントのデジタル領域に送信することを特徴とする請求項7に記載の方法。
【請求項９】
認証された前記断片化トークンを、前記顧客のバイオメトリック読み取りを使用して認証することを特徴とする請求項6に記載の方法。
【請求項１０】
マーチャントと顧客とのトランザクションのための安全な認証システムであって、
支払精算プラットフォームに関連付けられている断片化認証トークンが、支払精算プラットフォームに伝えられると、有効期限前に一度だけ、前記支払精算プラットフォームで精算処理を認証するように前記断片化認証トークンを生成するように構成されたトークン化プラットフォームと、
プロセッサ及びメモリを有する商業広告エンジンと
を備えており、
前記商業広告エンジンは、
前記トークン化プラットフォームから受信した前記断片化認証トークンを記憶し、
前記断片化認証トークンが前記顧客に関連付けられている顧客デバイスに固有に関連付けられるように、前記断片化認証トークンを前記顧客デバイスに送信し、
マーチャントの製品を販売すべく、前記マーチャントの売出しを固有に識別する売出しIDを含んで前記売出しに関連付けられているマーチャント売出しデータを記憶し、
前記マーチャント売出しデータを広告コンテンツネットワークに送信し、前記マーチャント売出しデータは、前記製品を販売すべく前記マーチャントの売出しに関するデジタル広告に変換され、前記デジタル広告が前記顧客によって選択されると、前記売出しIDを前記顧客デバイスに伝えるように構成されたデジタルリンクを含んでおり、
前記デジタル広告から伝えられた前記売出しIDと、前記顧客デバイスとの認証処理によって認証される前記断片化認証トークンを有する認証された断片化トークンとを前記顧客デバイスから受信し、
前記マーチャントの売出しに関連付けられている前記マーチャントとの、受信した売出しIDの信頼性のある相関、及び顧客が関連付けられている前記顧客デバイスとの、受信して認証されたトークンの信頼性のある相関に基づき、前記顧客が前記マーチャントの売出しの受け入れを開始したと判断し、
認証された断片化トークンを使用した前記顧客の検証結果に基づき、前記顧客に関連付けられている顧客支払情報にアクセスし、
受信した前記売出しIDを使用した前記マーチャントの検証結果に基づき、前記マーチャントに関連付けられているマーチャントアカウント情報にアクセスし、
前記マーチャント売出しデータ、前記マーチャントアカウント情報、前記顧客支払情報及び認証された断片化トークンの少なくとも一部を前記支払精算プラットフォームに送信することにより、売り出された製品の購入のために支払精算プラットフォームを用いて安全な精算手続きを開始する
ように構成されていることを特徴とするシステム。
【請求項１１】
前記商業広告エンジンは、売り出された製品の前記顧客による購入に関する決済データを受信するように更に構成されていることを特徴とする請求項１０に記載のシステム。
【請求項１２】
前記商業広告エンジンは、売り出された製品の前記顧客による購入のために精算トランザクションを作成すべく前記決済データを前記マーチャントのデジタル領域に送信するように更に構成されていることを特徴とする請求項１１に記載のシステム。
【請求項１３】
前記デジタル広告から伝えられた前記売出しIDを前記顧客デバイスから前記商業広告エンジンによって受信する際に、前記顧客デバイスに記憶されたデジタルウォレットアプリケーションから前記売出しIDを受信することを特徴とする請求項１０に記載のシステム。
【請求項１４】
認証された前記断片化トークンを、前記顧客のバイオメトリック読み取りを使用して認証することを特徴とする請求項１０に記載のシステム。
【発明の詳細な説明】
【技術分野】
【０００１】
本明細書に開示されている主題は一般に、データの処理に関する。ある例示的実施形態では、本開示は、安全な、多要素トークン化に基づくプッシュ／レスポンス商取引プラットフォームを提供するための方法に関する。
【発明の概要】
【課題を解決するための手段】
【０００２】
本開示の態様は、マーチャントと顧客との安全なトランザクションを改善するための商業広告の方法に関して提示されている。ある実施形態では、前記商業広告エンジンの方法では、トークン化プラットフォームから受信して支払精算プラットフォームに関連付けられている断片化認証トークンが、前記支払精算プラットフォームに伝えられると、有効期限前に一度だけ、前記支払精算プラットフォームで精算処理を認証するように、前記断片化認証トークンを前記商業広告エンジンによって記憶し、前記断片化認証トークンが前記顧客に関連付けられている顧客デバイスに固有に関連付けられるように、前記断片化認証トークンを前記顧客デバイスに前記商業広告エンジンによって送信し、マーチャントの製品を販売すべく、前記マーチャントの売出しを固有に識別する売出しIDを含んで前記売出しに関連付けられているマーチャント売出しデータを、前記商業広告エンジンによって記憶し、前記商業広告エンジンによって前記マーチャント売出しデータを広告コンテンツネットワークに送信し、前記マーチャント売出しデータは、前記製品を販売すべく前記マーチャントの売出しに関するデジタル広告に変換され、前記デジタル広告が前記顧客によって選択されると、前記売出しIDを前記顧客デバイスに伝えるように構成されたデジタルリンクを含んでおり、前記デジタル広告から伝えられた前記売出しIDと、前記顧客デバイスとの認証処理によって認証された断片化認証トークンを有する認証された断片化トークンとを前記顧客デバイスから前記商業広告エンジンによって受信し、前記マーチャントの売出しに関連付けられている前記マーチャントとの、受信した売出しIDの信頼性のある相関、及び顧客が関連付けられている前記顧客デバイスとの、受信して認証されたトークンの信頼性のある相関に基づき、前記顧客が前記マーチャントの売出しの受け入れを開始したと、前記商業広告エンジンによって判断し、認証された断片化トークンを使用した前記顧客の検証結果に基づき、前記顧客に関連付けられている顧客支払情報にアクセスし、受信した前記売出しIDを使用した前記マーチャントの検証結果に基づき、前記マーチャントに関連付けられているマーチャントアカウント情報にアクセスし、前記マーチャント売出しデータ、前記マーチャントアカウント情報、前記顧客支払情報及び認証された断片化トークンの少なくとも一部を前記支払精算プラットフォームに送信することにより、売り出された製品の購入のために支払精算プラットフォームを用いて前記商業広告エンジンによって安全な精算手続きを開始する。
【０００３】
ある実施形態では、前記方法では、売り出された製品の前記顧客による購入に関する決済データを、前記支払精算プラットフォームから受信する。
【０００４】
ある実施形態では、前記方法では、売り出された製品の前記顧客による購入のために精算トランザクションを作成すべく、前記決済データを前記マーチャントのデジタル領域に送信する。
【０００５】
本方法のある実施形態では、前記デジタル広告から伝えられた前記売出しIDを前記顧客デバイスから前記商業広告エンジンによって受信する際に、前記顧客デバイスに記憶されたデジタルウォレットアプリケーションから前記売出しIDを受信する。
【０００６】
本方法のある実施形態では、認証された前記断片化トークンを、前記顧客のバイオメトリック読み取りを使用して認証する。
【０００７】
ある実施形態では、マーチャントと顧客との安全なトランザクションを改善するための商業広告エンジンの第２の方法を開示する。第２の方法で、トークン化プラットフォームから受信して支払精算プラットフォームに関連付けられている断片化認証トークンが、前記支払精算プラットフォームに伝えられると、有効期限前に一度だけ、前記支払精算プラットフォームで精算処理を認証するように、前記断片化認証トークンを前記商業広告エンジンによって記憶し、前記断片化認証トークンが前記顧客に関連付けられている顧客デバイスに固有に関連付けられるように、前記断片化認証トークンを前記顧客デバイスに前記商業広告エンジンによって送信し、マーチャントの製品を販売すべく、前記マーチャントの売出しを固有に識別する売出しIDを含んで前記売出しに関連付けられているマーチャント売出しデータを、前記商業広告エンジンによって記憶し、前記商業広告エンジンによって前記マーチャント売出しデータを広告コンテンツネットワークに送信し、前記マーチャント売出しデータは、前記製品を販売すべく前記マーチャントの売出しに関するデジタル広告に変換され、前記デジタル広告が前記顧客によって選択されると、前記売出しIDを前記顧客デバイスに伝えるように構成されたデジタルリンクを含んでおり、前記デジタル広告に埋め込まれている前記売出しIDと、前記顧客デバイスとの認証処理によって認証された断片化認証トークンを有して前記デジタル広告に埋め込まれている認証された断片化トークンとを前記デジタル広告から前記商業広告エンジンによって受信し、前記マーチャントの売出しに関連付けられている前記マーチャントとの、受信した売出しIDの信頼性のある相関、及び顧客が関連付けられている前記顧客デバイスとの、受信して認証されたトークンの信頼性のある相関に基づき、前記顧客が前記マーチャントの売出しの受け入れを開始したと、前記商業広告エンジンによって判断し、認証された断片化トークンを使用した前記顧客の検証結果に基づき、前記顧客に関連付けられている顧客支払情報にアクセスし、受信した前記売出しIDを使用した前記マーチャントの検証結果に基づき、前記マーチャントに関連付けられているマーチャントアカウント情報にアクセスし、前記マーチャント売出しデータ、前記マーチャントアカウント情報、前記顧客支払情報及び認証された断片化トークンの少なくとも一部を前記支払精算プラットフォームに送信することにより、売り出された製品の購入のために支払精算プラットフォームを用いて前記商業広告エンジンによって安全な精算手続きを開始してもよい。
【図面の簡単な説明】
【０００８】
複数の実施形態が、例として添付図面の図に限定されることなく図示されている。
【０００９】
【図１】ある例示的実施形態に係る本開示の態様に適した例示的システム環境を示すシステム図である。
【図２】ある例示的実施形態に係る安全な、多要素トークン化に基づくプッシュ／レスポンスオンライントランザクションを行うための例示的処理の第１の変形例を示す図である。
【図３】ある例示的実施形態に係る安全な、多要素トークン化に基づくプッシュ／レスポンスオンライントランザクションを行うための例示的処理の第１の変形例を示す図である。
【図４】ある例示的実施形態に係る安全な、多要素トークン化に基づくプッシュ／レスポンスオンライントランザクションを行うための例示的処理の第２の変形例を示す図である。
【図５】ある例示的実施形態に係る安全な、多要素トークン化に基づくプッシュ／レスポンスオンライントランザクションを行うための例示的処理の第２の変形例を示す図である。
【図６】マシン可読媒体から命令を読み取って、本明細書で検討されている方法の任意の一又は複数を行うことが可能なある例示的実施形態に係るマシンの構成要素を示すブロック図である。
【発明を実施するための形態】
【００１０】
例示的な方法、装置及びシステム（例えば、マシン）が、広告のマーチャントに関連したデジタル広告及び安全な支払プラットフォームを用いた直接インターフェースを介した安全なトランザクションを提供するために提示されている。電子商取引が情報・デジタル時代によって必然的に成長し続けているので、オンライントランザクションを完了するよりシームレスでより安全な方法を提供することが更に普及しており更に重要になっている。しかしながら、共通問題として、マーチャント、オンラインユーザ及び金融機関が警戒しなければならない多くの詐欺術及び危険の中でユーザの信頼性のある認証を提供することが含まれている。他方では、顧客が単なる購入を行うためにしなければならないあらゆる無関係な努力を最小限度に抑えるべく、トランザクションが直観的で、使いやすく、迅速であることが望ましい。
【００１１】
実際には、マーチャントの広告を適切なオンラインユーザに提供するための広告／コンテンツネットワーク、Paypal（登録商標）又はVisa Checkout （登録商標）のような支払処理プラットフォーム、及びマーチャント自体のウェブサイトを含む、オンラインマーチャントをオンラインユーザに繋ぐべく共に統合する機能性の複数の別個の実体が存在する。現在、オンライン広告に応答するユーザによる購入には、前述の異なる実体の各々の通常多数のウェブサイトにユーザがリダイレクトされることが必要である。個々の異なるウェブサイトで止まることにより、ユーザの別々の認証、製品の別々の購入、製品の購入を別々に検証する手段を含む様々な目的が通常満たされる。典型的なパブリッシャウェブサイト（つまりマーチャント又は支払プラットフォームのいずれにも無関係なコンテンツを提供するウェブサイト（例えばCNN.com 、ESPN.comなど））でユーザに提示されている広告から始まって、ユーザが単に購入するために必要なリダイレクションの数を最小限に抑える一方、ユーザ及びユーザの支払情報の信頼性のある認証を依然として提供する、ユーザが製品をオンラインで購入する際のよりシームレスでより直観的な体験を生み出すことが望ましい。
【００１２】
本開示の態様は、既存の支払プラットフォーム及び既存の広告／コンテンツネットワークのような既存の電子商取引実体を依然として利用しながら、異なる情報を処理してトランザクションを完了するために多数の煩雑なウェブページにリダイレクトされることなく、ユーザがオンライン広告に直接アクセスしてオンラインで安全に購入することを可能にするシステムのために提示されている。本開示のシステムには、商業広告エンジン（CAエンジン）に関連付けられているアプリを介してユーザとインターフェースでつながるCAエンジンと、ユーザの認証のためのトークン化プラットフォームと、オンライン広告で広告される製品に関する関連する売出し・精算情報を提供するマーチャントとが導入されている。本明細書に提示されているシステムは、CAエンジンとインターフェースでつながるオンラインバナー又はオンライン広告に埋め込まれた新たな情報を統合し、通常行われているように多数のウェブサイトにアクセスするか又はリダイレクトされることなく、ユーザが所望の製品を購入しながら、認証を確実にもたらすことを可能にする。この新しいシステムに関する更なる詳細な説明を図面との関連で以下に記載する。
【００１３】
図１を参照すると、例図100 は、本開示のシステムと典型的に目下使用されている従来の電子商取引実体との様々な相互作用を示す例示的ネットワークのシステム図である。図示されているように、システム図には、ウェブコンテンツを閲覧するときにオンライン広告を見ることができるユーザデバイス105 が含まれている。ユーザデバイス105 に表示され得る例示的なオンラインウェブサイト110 が示されている。オンラインウェブサイト110 は、ブラウザ又はユーザデバイス105 にダウンロードされたアプリケーションに表示されてもよい。オンラインウェブサイト110 は、マーチャント115 によって販売される製品に関するコンテンツを提供する広告又はバナーを含んでもよい。このオンライン広告には、商業広告エンジン（CAエンジン）120 によって提供される特定のリンク又はコードが埋め込まれており、以下により詳細に検討される。
【００１４】
オンラインウェブサイト110 のオンライン広告は従来の広告又はコンテンツのネットワーク140 によって提供されてもよい。典型的には、これらのネットワーク140 によって、マーチャントが広告キャンペーンを作成することが可能になり、ネットワークは、広告を表示するパブリッシャウェブサイトへのマーチャントの広告の普及を促進する。広告／コンテンツネットワーク140 は、マーチャントの広告にもっと興味を持っているかもしれない関連のある顧客／閲覧者に届く可能性がより高いパブリッシャウェブサイトに広告を表示することを支援することにより、広告の効率を改善しようとしている。広告／コンテンツネットワーク140 がマーチャント広告のよりスマートな普及を促進して、マーチャント広告が何百万又は何千万の閲覧者に届くので、広告／コンテンツネットワーク140 の既存の能力を利用しながら、よりシームレスな購入体験を提供することが望ましい場合がある。
【００１５】
図１には例示的なマーチャント115 が更に示されている。マーチャント115 は、販売する製品又はサービスを供給して、ユーザデバイス105 のユーザと通信して提示することを望んでいる本例の実体である。マーチャント115 は、ウェブサイトを制御して、ウェブサイトを通して製品又はサービスを販売してもよい。従来の実例では、マーチャント115 は、ユーザ、例えばユーザデバイス105 のユーザによって頻繁に見られるパブリッシャウェブサイトに広められ得る広告を表示するために広告キャンペーンを構築すべく広告／コンテンツネットワーク140 を利用し得る。通常通り、これらの広告は、マーチャント115 のウェブサイトにユーザを導くリンクを含んでもよい。そこで、ユーザは、マーチャントのウェブサイトとインターフェースでつながることにより製品を購入しようとし続けてもよい。この処理は時には遅く煩雑になる場合がある。その理由は、マーチャントがログイン情報を要求して、ウェブサイトの新規のユーザの場合には登録し、請求情報及び発送情報を入力して、ユーザが実際に購入したい製品に関する他の詳細内容を指定することを要求するからである。これらのステップの内のいずれか１つを終了する前に、ユーザは、単に余りにイライラするか、又は購入を完了するのに必要な全ての情報を欠く場合があり、処理を完了しようとすることを単にやめる場合がある。ユーザが、製品を広告で見た後に製品をよりシームレスにより直観的に購入できることが更に望ましい。
【００１６】
支払／精算プラットフォーム130 が更に示されている。この構成要素は、マーチャントをユーザの支払アカウントに安全な方法で結び付けるように構成された既存のシステム及びネットワークを含んでいる。例として、PayPal（登録商標）、Visa Checkout （登録商標）などが含まれる。これらのプラットフォーム130 は、支払アカウント、ログインID、認証に関する質問などに関連したユーザ情報を含んでいる。これらのプラットフォーム130 は、アカウントID、決済データ、ルーティング情報などに関連したマーチャント情報を更に含んでいる。通常通り、トランザクションを完了するために、マーチャントのウェブサイトで購入したいユーザは、支払／精算プラットフォーム130 によって容易にされてもよい精算ページにリダイレクトされるか、又は支払／精算プラットフォーム130 のウェブサイトの別のページに直接移らされる。残念ながら、このページは、ユーザが購入を完了するために導かれる必要がある更に別のページかもしれない。ユーザは、追加情報を含む更に別のウェブページ又はアカウントにサインインする必要があり、ひどく苛立つか、又は非常に疲れてトランザクションを完了できない場合がある。
【００１７】
図１は、これらの問題の少なくとも一部を緩和するのを支援するための例示的なシステムを示す。このシステムには、多くのこれらの問題に対処するための機能性を与える商業広告（CA）エンジン120 が含まれている。ある実施形態では、CAエンジン120 は、マーチャントのオンデマンド売出し及び生成／管理と組み合わされた固有の多目的ID／トークン処理・相関エンジンである。例えば、CAエンジン120 は、オンライン広告又はバナーに埋め込むための新しい機能性及び情報を提供してもよい。ユーザデバイス105 のユーザが広告又はバナーをクリックすると、この新しい情報がCAエンジン120 に直接リンクを戻してもよい。CAエンジン120 は、マーチャント115 がオンライン広告を通じて通信したい特定の売出しに関する正確な情報を更に記憶してもよい。この情報は、CAエンジン120 のユーザインターフェースにアクセスする各マーチャントによって提供されてもよい。例えば、CAエンジン120 の利用を申し込むマーチャントが、広告される製品の売出しに関する詳細内容をCAエンジン120 に入力してもよい。売出しの詳細内容は、製品の型、コスト、（例えば売出しを見る際に限るが）あらゆる有効期限、及び売出しの条件下で提供されるユニットの数を含んでもよい。作成された売出しは、マーチャントによる特定の売出しを識別する売出しIDを更に生成する。この売出しIDを、正確な売出しに確実に相関させるために任意の広告又はバナーと共に伝えてもよい。CAエンジン120 は、広告／コンテンツネットワーク140 によって促進されてもよい売出しにこの情報をパッケージ化するように構成されてもよい。この売出しは、ユーザのユーザデバイス105 のブラウザ又はアプリ110 に現われる広告を通じてユーザデバイス105 に供給されてもよい。広告は、ユーザをCAエンジン120 に戻すメカニズムに導く特定のURL を含んでもよい。ある実施形態では、この方向は、広告のURL 及び断片化トークン135 を処理するように構成されたユーザデバイス105 の関連付けられたアプリを介して生じる（図４及び５）。他の場合には、URL は、ユーザデバイス105 をリダイレクトしてCAエンジン120 と直接コンタクトをとらせる（図２）。従って、ユーザをCAエンジン120 にリダイレクトすることにより、ユーザは、マーチャントによって供給される特定の売出し情報に既にアクセスしてもよい。
【００１８】
加えて、CAエンジン120 は、ユーザデバイス105 に記憶された認証トークン135 を従来の支払／精算プラットフォーム130 の既存のID情報と相関させるように構成された相関エンジンを有している。相関は、ユーザに関連付けられている断片化トークンをCAエンジン120 を介してユーザデバイス105 に既に供給したRCD トークン化プラットフォーム125 により可能であってもよい。各断片化トークン135 は固有であり、モバイル機器105 から最終的にはCAエンジン120 に伝えられると、ユーザを認証すべく一度のみ使用することができる。CAエンジン120 に届く断片化トークン135 と共に、モバイル機器105 でユーザによってクリックされる（例えば、ブラウザ／アプリ110 の）広告にCAエンジン120 から伝えられる売出しIDは、例えばCAエンジン120 と通信するように構成されたモバイル機器105 のアプリ又はソフトウェア（SW）スクリプトを介してCAエンジン120 に送り返されてもよい。CAエンジンが断片化トークン135 及び売出しIDの両方を受信すると、相関エンジンが、断片化トークン135 によって認証されたユーザを、売出しIDに関連付けられている売出しと関連付けることができる。売出しIDは、言うまでもなく売出しを作成したマーチャントと更に関連付けられている。CAエンジン120 は、この特定のマーチャントに関連付けられている支払／精算プラットフォーム情報を含んでもよく、従って、この情報を売出しIDに関連付けられているマーチャントと組み合わせて、相関エンジンは、正確なマーチャントID情報を用いて支払／精算プラットフォーム130 にアクセス可能であってもよい。このようにして、CAエンジン120 は、マーチャントの売出しをユーザデバイスにシームレスに結び付けることができ、ユーザが持っていないかもしれない情報又は完了するには時間がかかりすぎる場合がある情報をユーザに記入させることを要求することなく、精算処理を自動的に実行する。
【００１９】
ある実施形態では、CAエンジン120 は、ユーザデバイス105 から（この場合も、ある任意のより早い時点でユーザデバイス105 に既に伝えられている）適切に認証された断片化トークン135 を受信したときのみ、RCD トークン化プラットフォーム125 にユーザデバイス105 のユーザのために精算処理を開始するように指示すべく構成されてもよい。ある実施形態では、断片化トークン135 は、ユーザのその特定のデバイスのみに適合するように構成されてもよく、精算処理のためだけに一度使用されてもよいが、ユーザが所望の広告をクリックする（そして本明細書に記載されている例示的な処理の1つを開始する）まで、あらゆる特定の売出しに結び付けられなくてもよい。このようにして、RCD トークン化プラットフォーム125 は、ユーザがクリックした特定の売出しに関してマーチャントをユーザと相関させるために適切な情報を有している。
【００２０】
ある実施形態では、CAエンジン120 は以下の特徴を有している。
i.  全てのCA ID及び対応するマーチャント売出しパラメータがマーチャント115 によって設定されて確立された場所
ii. 全てのRCD を精算プラットフォーム130 の確立されたユーザIDに相関させて、CA ID を精算プラットフォーム130 のマーチャントMID に相関させる相関エンジン
iii.  全ての広告が埋め込まれたスクリプト及び／又は広告が埋め込まれたURL などが商業広告処理を実行すべく呼び出す点
iv. マーチャント115 及び商業広告性能を埋め込みたい他の人のための集中管理・報告エンジン
v.  ユーザアプリ／API 、既存の精算プラットフォーム130 、RCD トークン化プラットフォーム125 、マーチャント注文プラットフォーム115 、広告／コンテンツネットワーク140 及び他の既存の外部プラットフォームシステムのための事実上のインターフェースモジュール及びエンジンとしての機能
vi. 同一の解決策における処理プラットフォーム及び集中売出しエンジンの両方としての機能を果たす市場での固有さ
【００２１】
トランザクション処理の一部として使用されるCAエンジン120 は、依然としてユーザを安全に認証してユーザの金融情報を守りながら、多くの他のウェブページにリダイレクトされる必要なく、ユーザにオンライン広告で売り出された所望の製品を購入させることを可能にし得る。CAエンジン120 は、広告／コンテンツネットワーク140 及び支払／精算プラットフォーム130 のような既存の電子商取引構造を依然として利用しながら、固有の機能性を提供している。
【００２２】
前述したように、RCD トークン化プラットフォーム125 がシステム内に更に示されている。このRCD トークン化プラットフォーム125 は、ユーザを認証するためにユーザデバイス105 に送信される断片化トークン135 を提供するように構成されてもよい。このRCD トークン化プラットフォーム125 は、ユーザデバイス105 に伝えられる多要素トークンを作成して、後の処理のためにCAエンジン120 に完全な形態で記憶すべく別個の多要素トークン化エンジンを提供してもよい。この認証処理は支払／精算プラットフォーム130 に適合されてもよい。RCD トークン化プラットフォーム125 は、支払／精算プラットフォーム130 にアクセスする必要がある前に、ユーザを既に予め認証してもよい。RCD トークン化プラットフォーム125 の例として、本明細書に参照によって組み込まれる米国特許出願第11／851248号の記載が含まれている。
【００２３】
図２を参照すると、例図200 には、ある実施形態に従ってマーチャント115 によって広告に表示される売出しを介した製品又はサービスの購入とユーザデバイス105 との安全なトランザクションを提供するためのコンピュータが実行する処理の例示的なステップが示されている。この処理は、ある実施形態に従ってCAエンジン120 に広告に基づいて送ることによる一変形例を表している。この処理は、CAエンジン120 に記憶されているマーチャント115 の売出しをまず含んでいる。売出し情報は、広告／コンテンツネットワーク140 に同様に送られてもよく、その後、広告／コンテンツネットワーク140 がブラウザ／アプリ110 に表示される広告／バナーにこの売出し情報をパッケージ化する。広告／バナーは、売出しに関連付けられている売出しIDと、ユーザを別の場所に導くためのリンク、例えばユーザをCAエンジン120 に戻すためのリンク、又はCAエンジン120 と通信して断片化トークン135 を利用するように構成されたモバイル機器105 のアプリにユーザを戻すためのリンクとしての機能を果たすURL とを更に含んでもよい。
【００２４】
本例では、第１のステップでユーザは広告をクリックする／広告に関わる。広告は、モバイルブラウザ、アプリ及び他のOSに関連した場所を含む任意の数の場所及び形態要素に配信されて表示され得る。これらは、あらゆる広告配信プロバイダ、パブリッシャ、広告／コンテンツネットワーク140 のようなネットワークなどによって配信され得る広告が位置付けられるあらゆる全ての現在且つ今後の場所である。ユーザは、広告をクリックして、広告をスクロール又はフリップし、広告のあらゆるインタラクティブ特徴を調べるなどして広告と関わってもよい。
【００２５】
第２のステップでは、広告のソフトウェア（SW）スクリプトが、埋め込まれたアプリSW／API を呼び出すことにより、デバイスのユーザ／クライアントアプリの開始を自動的に引き起こす。ユーザアプリケーションが開始し、既に開いている場合には表示される。このユーザアプリケーションは、ある実施形態に従ってCAエンジン120 と関与するように構成されたシステム全体の一部であってもよい。バナーに埋め込まれたCA ID はユーザアプリケーションに伝えられる。CA ID は、CAエンジン120 でマーチャント115 が指定した通りに広告が提示されたものと相互に関連するマーカであってもよい。
【００２６】
アプリが開くと、ある実施形態では、CA ID ／売出しに関連したあらゆるコンテンツがユーザアプリケーションに送られて、関連のある売出し／製品パラメータが示される。本明細書に示されているデータはテキスト、画像、アクティブウェブコンテンツなどであり得る。このため、ユーザは、広告に埋め込まれてCAエンジン120 を介してマーチャントによって供給される実際の売出し情報を見ることが可能になる。
【００２７】
第３のステップでは、ユーザは、RCD の認証を完了するためにPIN 、バイオメトリック／アルゴリズムのような認証情報を入力するか、又はあらゆる他の関連する処理ステップを行う。
【００２８】
第４のステップでは、ユーザアプリケーションは、広告／バナーの埋め込まれたSWスクリプト／API と相互作用し、RCD をバナーに伝える。その後、バナーは、完了したRCD 及びCA ID を処理のためにCAエンジン120 に送る。これらの広告又はバナーは、その後CAエンジン120 に送り返され得るRCD 及びCA ID を受信して記憶するように特に構成されてもよい。このようにして、ユーザによる売出しの受け入れは、恐らく断片化トークン（例えばRCD ）の認証情報を別にすれば、ユーザが追加の情報を入力する必要なく、CAエンジンを介して精算処理にシームレスに移される。
【００２９】
図３を参照すると、例図300 は、図２で開始した処理を終了させるための更なる例示的な詳細内容を提供する。例えば、第５のステップでは、CAエンジン120 はデータを処理し、RCD を精算プラットフォーム130 のユーザデータと相関させて、精算プラットフォーム130 で記憶されているマーチャント売出し・MID ／マーチャントアカウントにCA ID を相関させる。マーチャントは、後で処理のために内部のマーチャント商取引／注文プラットフォーム115 に送るためにCAエンジン120 にCA ID パラメータを既に予め定めている。このデータは、注文管理システム（電子商取引プラットフォーム、Magento など）にマップすべくSKU パラメータ、価格設定パラメータ及び発送パラメータ、並びに他の売出し関連データを含み得る。
【００３０】
第６のステップでは、CA ID 注文データはマーチャントサイト115 に伝えられて、買い物かご／注文が製品／SKU のためにマーチャントプラットフォーム内で作成される。この処理は、CAエンジン120 からマーチャントウェブサイト115 とインターフェースでつながる自動化スクリプトであって、断片化トークンを介して認証されるユーザに関する情報とマーチャント売出しに関する全ての情報を参照する売出しIDとを使用して買い物かご／注文に関する情報を自動的に完了するように構成された自動化スクリプトによって行われてもよい。
【００３１】
第７のステップでは、RCD がCAエンジン120 内で検証されて、ユーザ（及び支払／精算プラットフォーム内のあらゆる他の関連するユーザID）と相関する。
【００３２】
第８のステップでは、CA ID は、マーチャントMID （又はマーチャントに関するデータを識別する他の精算プラットフォーム）とMID データとに相関する。MID データ、ユーザデータ及び量が処理のために精算プラットフォーム130 に送られる。
【００３３】
その後、精算プラットフォーム130 は、通常の精算プラットフォーム処理（例えば支払データ、量の認可、及びマーチャントの標準マーチャントアカウントを介した処理又は他の関連する処理）毎に支払いを処理する。
【００３４】
その後、マーチャント注文処理を完了するための支払許可及び他の全ての必要なフルフィルメントデータがマーチャント115 に送られて、注文が完了する。追加の注文データ及び確認がCAエンジン120 を介して送り返されてもよく、又は注文確認及び報告のために他の方法によってユーザに送られ得る。
【００３５】
本明細書で検討されているように、ユーザはユーザデバイス105 にロードされた１つのアプリの１つのページだけを見ることができる。認証情報は、RCD トークン化プラットフォームによって検証可能な断片化トークン135 の形態でユーザデバイス105 から伝えられる。このため、ユーザが既に認証されているので、支払／精算プラットフォーム130 は、ユーザのためにあらゆる支払情報を安全且つ自動的にロードすることができる。更に、ユーザデバイス105 のアプリは、ユーザがクリック／選択した広告／バナーに埋め込まれているマーチャント115 によって指定された売出し情報を表示するように構成されている。そのため、ユーザは売出し情報に単に同意する必要があるだけであり、受け入れによって、マーチャント115 との相関情報及びマーチャントの売出しを既に記憶しているCAエンジン120 に認証・広告情報が転送される。従って、ユーザとの売出し詳細内容の相関、及びユーザの支払情報に対するユーザの認証が裏で行われるため、ユーザは、これらの機能を行うために多くの他のウェブサイトに導かれる必要がなくなる。その際に、ユーザは、製品に関する広告をクリックして、ユーザの既存の支払アカウント情報（例えば支払／精算プラットフォームのユーザアカウント）及びマーチャント情報（例えばマーチャント製品及びマーチャントウェブサイト）を利用しながら、直観的でよりシームレスなトランザクション体験をすることによって、製品を「直接」効率的に購入することができる。
【００３６】
図４及び図５を参照すると、例図400 及び例図500 は、本開示の態様に係る処理を完了するための第２の変形例を示す。この方法では、ユーザデバイス105 のアプリケーションは、広告を介して情報を送り返すのではなく、関連情報をCAエンジン120 に直接送るように構成されてもよい。
【００３７】
図２及び図３に示されているステップは、ユーザデバイス105 のアプリとの処理が広告を介して情報を検索して伝えるのではなく、CAエンジン120 と直接インターフェースでつながる２つの実例を除いてこの変形例と同様であってもよい。従って、１つの差異は、価格、製品パラメータなどの売出しに関する情報が、広告ではなくCAエンジンから検索されてもよいということである。一部の処理ステップには、アプリが、コンテンツを要求するCAエンジンにCA ID を伝えて、コンテンツが戻されることが含まれる。この変形では実際には多くのスレッド／ウェブ呼び出しがあり、例えばCAエンジン120 へのリンク呼び出し、アプリの開始のためのCAエンジン120 戻し、アプリ要求CA ID 情報、伝えられたデータ／情報などがあってもよい。これら多くの呼び出しは、ユーザが情報に基づく購入を行うことができるように、アプリが売出しに関する関連情報をダウンロードすることを最終的に可能にする。
【００３８】
第２の差異は、ユーザがPIN 又はバイオメトリック／アルゴリズムのような検証内容を入力した後、ユーザを認証するために、ユーザアプリケーションがRCD 、CA ID 及び、ユーザを更に識別するための（必要に応じて既存の）あらゆる他のデバイス上の既存のセキュリティ／認証処理をCAエンジン120 を介して伝える。ある実施形態では、あらゆる全ての他の第２の認証子が、追加の認証を行うためにCAエンジン120 とアプリ／ユーザとの間に設定されてもよい。従って、CAエンジン120 は、ユーザを購入のための意図した売出しと相関させるために、認証情報及び（CA ID で表現される）選択された売出しのIDを直接受信してもよい。残りのステップ（図５参照）は、前述の実施例（図３参照）のように進んでもよい。
【００３９】
ある実施形態では、上記に導入されているようなCA API又はSWスクリプトが以下の特徴を有してもよい。
i.  アプリケーションに基づきユーザデバイスに統合されたユーザ／アプリAPI
ii. （第１の例示的処理で記載されているような、図２及び図３参照）RCD 及びユーザIDを広告を介してCAエンジンに伝えるための埋め込まれたAD SWスクリプト／API
iii.  （場合によっては）マーチャント商取引プラットフォームモジュール、CAエンジン120 と通信して注文処理及びフルフィルメントのために必要なデータを抽出すべくマーチャント側に存在する顧客ソフトウェアモジュール。この処理は、実現すべくマーチャントがウェブサービス呼び出しにコード化することによって更に行われることができ、進むためにマーチャントサービスにある実際の「SWモジュール」を必要としなくてもよい。
【００４０】
AD SW スクリプトは、CAエンジンと通信するように構成されたモバイル機器105 のアプリの一部であってもよい。広告／バナーに埋め込まれているURL はアプリを開くように構成されてもよく、アプリは、その後、AD SW スクリプトを開始して断片化トークン135 （RCD ）を得て、RCD をユーザIDと共にCAエンジン120 に送信し、ユーザが選択した特定の売出しを表す広告／バナーの関連付けられた売出しIDを送信してもよい。
【００４１】
図６を参照すると、ブロック図が、ある例示的実施形態に係るマシン600 の構成要素を示しており、マシン600 は、マシン可読媒体622 （例えば非一時的なマシン可読媒体、マシン可読記憶媒体、コンピュータ可読記憶媒体、又はこれらのあらゆる適切な組み合わせ）から命令624 を読み取り、本明細書で検討されている方法の任意の一又は複数を全体的に又は部分的に行うことができる。具体的には、図６は、コンピュータシステム（例えばコンピュータ）の例示的形態でマシン600 を示しており、本明細書で検討されている方法の任意の一又は複数をマシン600 に実行させるための命令624 （例えばソフトウェア、プログラム、アプリケーション、アプレット、アプリ又は他の実行可能なコード）がマシン600 内で全体的に又は部分的に実行されてもよい。
【００４２】
代替的な実施形態では、マシン600 はスタンドアローンデバイスとして動作するか、又は他のマシンに接続（例えばネットワーク化）されてもよい。ネットワーク化された展開例では、マシン600 は、サーバ−クライアントネットワーク環境ではサーバマシン110 又はクライアントマシンの能力で動作してもよく、又は、分散型（例えばピアツーピア）ネットワーク環境ではピアマシンとして動作してもよい。マシン600 はハードウェア、ソフトウェア又はこれらの組み合わせを含んでもよく、例として、サーバコンピュータ、クライアントコンピュータ、パーソナルコンピュータ（PC）、タブレット型コンピュータ、ラップトップコンピュータ、ネットブック、携帯電話、スマートフォン、セットトップボックス（STB ）、携帯情報端末（PDA ）、ウェブ装置、ネットワークルータ、ネットワークスイッチ、ネットワークブリッジ、又はマシンによって行われる動作を順次的に又は他の手段で指定する命令624 を実行することができるあらゆるマシンであってもよい。更に、１つのマシン600 のみが図示されているが、「マシン」という用語は更に、本明細書で検討されている方法の任意の一又は複数の全て又は一部を行うための命令624 を個々に又は共同で実行するマシンのあらゆる集合体を含むとみなされる。
【００４３】
マシン600 は、プロセッサ602 （例えば中央処理装置（CPU ）、グラフィック処理装置（GPU ）、デジタル信号プロセッサ（DSP ）、特定用途向け集積回路（ASIC）、無線周波数集積回路（RFIC）又はこれらのあらゆる適切な組み合わせ）、メインメモリ604 及びスタティックメモリ606 を備えており、これらは、バス608 を介して互いと通信するように構成されている。プロセッサ602 は超小型回路を有してもよく、超小型回路は、プロセッサ602 が本明細書に記載されている方法の内の任意の一又は複数を全体的に又は部分的に行うべく構成可能なように、命令624 の一部又は全てによって一時的に又は常時構成可能である。例えば、プロセッサ602 の一組の一又は複数の超小型回路は、本明細書に記載されている一又は複数のモジュール（例えばソフトウェアモジュール）を実行するように構成可能であってもよい。
【００４４】
マシン600 は、ビデオディスプレイ610 （例えばプラズマディスプレイパネル（PDP ）、発光ダイオード（LED ）ディスプレイ、液晶ディスプレイ（LCD ）、プロジェクタ、ブラウン管（CRT ）又は図形若しくは映像を表示することができるあらゆる他のディスプレイ）を更に備えてもよい。マシン600 は、英数字入力装置612 （例えばキーボード又はキーパッド）、カーソル制御装置614 （例えばマウス、タッチパッド、トラックボール、ジョイスティック、運動センサ、視線追跡装置又は他の指示装置）、記憶装置616 、信号生成装置618 （例えばサウンドカード、アンプ、スピーカ、ヘッドホンジャック又はこれらのあらゆる適切な組み合わせ）及びネットワークインターフェースデバイス620 を更に備えてもよい。
【００４５】
記憶装置616 はマシン可読媒体622 （例えば有形の非一時的なマシン可読記憶媒体）を有しており、例えば図１〜５に記載のいずれかを含む、本明細書に記載されている方法又は機能の任意の一又は複数を具体化する命令624 がマシン可読媒体622 に記憶されている。命令624 は、マシン600 による命令624 の実行前又は実行中にメインメモリ604 若しくはプロセッサ602 （例えばプロセッサのキャッシュメモリ）内又はその両方に完全に又は少なくとも部分的に更に存在してもよい。命令624 は、スタティックメモリ606 に更に存在してもよい。
【００４６】
従って、メインメモリ604 及びプロセッサ602 は、マシン可読媒体622 （例えば有形の非一時的なマシン可読媒体）とみなされてもよい。命令624 はネットワークインターフェースデバイス620 を介してネットワーク626 を通じて送信又は受信されてもよい。例えば、ネットワークインターフェースデバイス620 は、任意の一又は複数の転送プロトコル（例えばHTTP）を使用して命令624 を通信してもよい。マシン600 は、図１〜５に記載された処理を含む、本明細書に記載されている機能のいずれかを行うための例示的手段を更に備えてもよい。
【００４７】
ある例示的実施形態では、マシン600 は、スマートフォン又はタブレット型コンピュータのようなポータブルコンピューティングデバイスであってもよく、一又は複数の追加の入力部品（例えばセンサ又はゲージ）（不図示）を有してもよい。このような入力部品の例として、画像入力部品（例えば一又は複数のカメラ）、音声入力部品（例えばマイクロフォン）、方向入力部品（例えばコンパス）、位置入力部品（例えばGPS 受信機）、方向測定部品（例えばジャイロスコープ）、動き検出部品（例えば一又は複数の加速度計）、高度検出部品（例えば高度計）及びガス検出部品（例えばガスセンサ）が含まれる。これらの入力部品の任意の一又は複数によって得られた入力が、本明細書に記載されたモジュールのいずれかによる使用のためにアクセス可能且つ利用可能であってもよい。
【００４８】
本明細書に使用されているように、「メモリ」という用語は、データを一時的に又は常時記憶することができるマシン可読媒体622 を指し、これらに限定されないが、ランダムアクセスメモリ（RAM ）、読み出し専用メモリ（ROM ）、バッファメモリ、フラッシュメモリ及びキャッシュメモリを含むとみなされてもよい。マシン可読媒体622 が例示的実施形態では１つの媒体として示されているが、「マシン可読媒体」という用語は、命令624 を記憶することができる１つの媒体又は複数の媒体（例えば集中データベース若しくは分散型データベース115 又は関連付けられたキャッシュ及びサーバ）を含むとみなされるべきである。「マシン可読媒体」という用語は、命令624 が、マシン600 の一又は複数のプロセッサ（例えばプロセッサ602 ）によって実行されると、本明細書に記載されている方法の任意の一又は複数をマシン600 に全体的に又は部分的に行わせるように、マシン600 による実行のために命令624 を記憶することができるあらゆる媒体又は複数の媒体の組み合わせを含むと更にみなされるべきである。従って、「マシン可読媒体」は、１つの記憶装置又は記憶デバイス、及び複数の記憶装置又は記憶デバイスを含むクラウドベースの記憶システム又は記憶ネットワークを指す。従って、「マシン可読媒体」という用語は、これらに限定されないが、固体メモリ、光媒体、磁気媒体又はこれらのあらゆる適切な組み合わせの形態の一又は複数の有形の（例えば、非一時的）データリポジトリを含むとみなされるべきである。
【００４９】
更に、マシン可読媒体622 は、伝搬信号を含まないという点で非一時的である。しかしながら、有形のマシン可読媒体622 を「非一時的」と称することは、媒体が移動できないことを意味すべく解釈されるべきではなく、媒体は、１つの物理的な場所から別の物理的な場所に移送可能であるとみなされるべきである。更に、マシン可読媒体622 が有形であるので、媒体はマシン可読デバイスであるとみなされてもよい。
【００５０】
本明細書全体に亘って、複数の実例は、１つの実例として記載された構成要素、動作又は構造を実施してもよい。一又は複数の方法の個々の動作が別個の動作として図示されて記載されているが、個々の動作の一又は複数が同時的に行われてもよく、動作が示された順番で行われることを必要としない。例示的構成で別個の構成要素として示された構造及び機能性は、組み合わされた構造又は構成要素として実施されてもよい。同様に、１つの構成要素として示された構造及び機能性は別個の構成要素として実施されてもよい。これら及び他の変更、調整、追加及び改良は、本明細書の主題の範囲内に包含される。
【００５１】
ある実施形態は、ロジック又は多くの構成要素、モジュール若しくはメカニズムを含むと本明細書に記載されている。モジュールは、ソフトウェアモジュール（例えば、マシン可読媒体622 若しくは他の態様で伝送媒体に記憶されるか若しくは含まれるコード）、ハードウェアモジュール又はこれらのあらゆる適切な組み合わせを構成してもよい。「ハードウェアモジュール」は、ある動作を行うことができる有形の（例えば非一時的な）ユニットであり、ある物理的な方法で構成又は配置されてもよい。様々な例示的実施形態では、一若しくは複数のコンピュータシステム（例えばスタンドアローンコンピュータシステム、クライアントコンピュータシステム又はサーバコンピュータシステム）又はコンピュータシステムの一若しくは複数のハードウェアモジュール（例えばプロセッサ602 若しくは一群のプロセッサ602 ）が、本明細書に記載されているようなある動作を実行すべく作動するハードウェアモジュールとしてソフトウェア（例えばアプリケーション若しくはアプリケーションの一部）によって構成されてもよい。
【００５２】
ある実施形態では、ハードウェアモジュールは機械的に、電子的に又はこれらのあらゆる適切な組み合わせで実施されてもよい。例えば、ハードウェアモジュールは、ある動作を実行すべく常時構成された専用回路又はロジックを含んでもよい。例えば、ハードウェアモジュールは、フィールドプログラマブルゲートアレイ（FPGA）又はASICのような専用プロセッサであってもよい。ハードウェアモジュールは、ある動作を実行すべくソフトウェアによって一時的に構成されたプログラム可能なロジック又は回路を更に含んでもよい。例えば、ハードウェアモジュールは、汎用プロセッサ602 又は他のプログラム可能なプロセッサ602 に含まれるソフトウェアを有してもよい。常時構成される専用回路又は一時的に構成される（例えばソフトウェアによって構成される）回路でハードウェアモジュールを機械的に実行する決定は、コスト及び時間を考慮して行われてもよいと認識される。
【００５３】
ハードウェアモジュールは、他のハードウェアモジュールに情報を提供して他のハードウェアモジュールから情報を受けることができる。従って、記載されたハードウェアモジュールは、通信可能に接続されているとみなされてもよい。複数のハードウェアモジュールが同時的に存在する場合、２以上のハードウェアモジュール間の（例えば適切な回路及びバス608 を介した）信号伝送によって通信を行ってもよい。複数のハードウェアモジュールが様々な時間に構成又はインスタンス化される実施形態では、例えば複数のハードウェアモジュールがアクセスするメモリ構造に情報を記憶して検索することにより、このようなハードウェアモジュール間の通信が行われてもよい。例えば、１つのハードウェアモジュールが動作を行って、ハードウェアモジュールが通信可能に接続されているメモリデバイスにその動作の出力を記憶してもよい。そのため、更なるハードウェアモジュールが、後でメモリデバイスにアクセスして記憶された出力を検索して処理してもよい。ハードウェアモジュールは、入力装置又は出力装置との通信を更に開始してもよく、リソース（例えば情報の集まり）で作動することができる。
【００５４】
本明細書に記載されている例示的な方法の様々な動作は、関連する動作を行うように（例えばソフトウェアによって）一時的に構成されているか、又は常時構成されている一又は複数のプロセッサ602 によって少なくとも部分的に行われてもよい。一時的に構成されていようと常時構成されていようと、このようなプロセッサ602 は、本明細書に記載された一又は複数の動作又は機能を行うべく作動する、プロセッサが実行するモジュールを構成してもよい。本明細書で使用されているように、「プロセッサが実行するモジュール」は、一又は複数のプロセッサ602 を使用して実行されるハードウェアモジュールを指す。
【００５５】
同様に、本明細書に記載された方法は、少なくとも部分的にプロセッサが実行してもよく、プロセッサ602 はハードウェアの一例である。例えば、方法の動作の少なくとも一部は、一若しくは複数のプロセッサ602 又はプロセッサが実行するモジュールによって行われてもよい。本明細書で使用されているように、「プロセッサが実行するモジュール」は、ハードウェアが一又は複数のプロセッサ602 を含むハードウェアモジュールを指す。更に、一又は複数のプロセッサ602 は、「クラウドコンピューティング」環境で、又は「サービスとしてのソフトウェア」（SaaS）として関連する動作の性能をサポートするために更に作動してもよい。例えば、動作の少なくとも一部が、（プロセッサ602 を含むマシン600 の例として）一群のコンピュータによって行われてもよく、これらの動作は、ネットワーク626 （例えばインターネット）及び一又は複数の適切なインターフェース（例えばAPI ）を介してアクセス可能である。
【００５６】
ある動作の実行は、１つのマシン600 内に存在するだけでなく、多くのマシン600 に展開された一又は複数のプロセッサ602 に分散されてもよい。ある例示的実施形態では、一若しくは複数のプロセッサ602 又はプロセッサが実行するモジュールは、（例えば家庭環境、オフィス環境又はサーバファーム内の）１つの地理的な場所に配置されてもよい。他の例示的実施形態では、一若しくは複数のプロセッサ602 又はプロセッサが実行するモジュールは多くの地理的な場所に亘って分散されてもよい。
【００５７】
特に述べられていない限り、「処理」、「コンピューティング」、「計算」、「決定」、「提示」、「表示」などの文言を使用した本明細書における検討は、一又は複数のメモリ（例えば揮発性メモリ、不揮発性メモリ若しくはこれらのあらゆる適切な組み合わせ）、レジスタ、又は情報を受信、記憶、送信又は表示する他のマシン構成要素内の物理的（例えば電子的、磁気的又は光学的）な量として表されるデータを操作又は変換するマシン600 （例えばコンピュータ）の動作又は処理を指してもよい。更に、特に述べられていない限り、「１つの(a) 」又は「１つの(an)」という文言は、特許文献によく見られるように、１つの実例以外の一又は複数の実例を含むように本明細書に使用されている。最後に、本明細書に使用されているように、「又は」という接続詞は、特に述べられていない限り、非排他的な「又は」を指す。
【００５８】
本開示は例示であり、限定していない。更なる調整が、本開示を考慮すると当業者にとって明らかであり、添付の特許請求の範囲内に包含されることが意図されている。
【００５９】
関連出願の相互参照
本願は、2016年５月９日に出願された「安全な、多要素トークン化に基づくプッシュ／レスポンス商取引プラットフォーム」という発明の名称の米国仮出願第62／333748号の利益を主張しており、その開示内容全体が、あらゆる目的のために参照によって本明細書に組み込まれている。
【図１】
2019520664.tif 000003
【図２】
2019520664.tif 000004
【図３】
2019520664.tif 000005
【図４】
2019520664.tif 000006
【図５】
2019520664.tif 000007
【図６】
2019520664.tif 000008
【国際調査報告】
2019520664.tif 000009